(57)【要約】【課題】利用者に視聴対象のコンテンツを適切に選択させることが可能な再生状況表示装置を提供すること。【解決手段】映像・音声データを含む録画コンテンツの再生状況を表示部１１に表示させる記録再生装置１であって、当該記録再生装置１は、録画コンテンツを再生する再生部５２と、録画コンテンツの録画トータル時間、及び録画コンテンツのうち再生済みの部分に対応した再生済時間を検出する時間検出部５３と、利用者の操作に基づいて録画コンテンツを特定する録画番組名、当該録画コンテンツの録画トータル時間、及び当該録画コンテンツの再生済時間を含む録画コンテンツの再生状況を表示部１１に表示させる表示制御部５５と、を備える。【選択図】図１
2013080539.tif 000002
【特許請求の範囲】
【請求項１】
映像または音声のコンテンツの再生状況を表示部に表示させる再生状況表示装置であって、
前記コンテンツを再生する再生部と、
前記コンテンツの全部を再生するために要する全再生時間、及び前記コンテンツのうち再生済みの部分に対応した再生済時間を検出する時間検出部と、
利用者の操作に基づいて、前記コンテンツを特定するコンテンツ特定情報、当該コンテンツの全再生時間、及び当該コンテンツの再生済時間を含む前記コンテンツの再生状況を前記表示部に表示させる表示制御部と、
を備えることを特徴とする再生状況表示装置。
【請求項２】
請求項１に記載の再生状況表示装置において、
前記時間検出部は、前記コンテンツの全再生時間に対する再生済み時間の割合を再生時間割合として算出し、
前記表示制御部は、前記再生時間割合を前記再生済み時間として表示させる
ことを特徴とする再生状況表示装置。
【請求項３】
請求項２に記載の再生状況表示装置において、
前記表示制御部は、前記再生時間割合をグラフ形式で表示させる
ことを特徴とする再生状況表示装置。
【請求項４】
請求項２に記載の再生状況表示装置において、
前記表示制御部は、前記コンテンツのサムネイル画像を取得し、当該サムネイル画像の明度、色相、彩度、および大きさのうち少なくとも１つを、前記再生時間割合に応じて変化させて表示させる
ことを特徴とする再生状況表示装置。
【請求項５】
請求項４に記載の再生状況表示装置において、
前記コンテンツは、映像データを含み、
前記サムネイル画像は、前記映像データを構成する複数のフレーム画像のうち、前記再生部により最後に再生されたフレーム画像である
ことを特徴とする再生状況表示装置。
【請求項６】
映像または音声のコンテンツの再生状況を表示部に表示させる再生状況表示装置であって、
前記コンテンツを再生する再生部と、
前記コンテンツの全部を再生するために要する全再生時間、及び前記コンテンツのうち未再生の部分に対応した未再生時間を検出する時間検出部と、
利用者の操作に基づいて、前記コンテンツを特定するコンテンツ特定情報、当該コンテンツの全再生時間、及び当該コンテンツの未再生時間を含む前記コンテンツの再生状況を前記表示部に表示させる表示制御部と、
を備えることを特徴とする再生状況表示装置。
【請求項７】
請求項６に記載の再生状況表示装置において、
前記時間検出部は、前記コンテンツの全再生時間に対する未再生時間の割合を未再生時間割合として算出し、
前記表示制御部は、前記未再生時間割合を前記未再生時間として表示させる
ことを特徴とする再生状況表示装置。
【請求項８】
請求項１から請求項７のいずれかに記載の再生状況表示装置において、
前記時間検出部は、前記コンテンツのうち未再生の部分に対応した未再生時間を検出し、
前記表示制御部は、複数のコンテンツに対する前記コンテンツの再生状況を、前記未再生時間の長さに基づく順序で一覧表示させる
ことを特徴とする再生状況表示装置。
【請求項９】
請求項８に記載の再生状況表示装置において、
利用者の操作に基づいて、再生希望時間を取得する再生希望時間取得部を備え、
前記表示制御部は、前記再生希望時間及び前記コンテンツの未再生時間との差分を算出して、当該差分が小さい順に、前記コンテンツの再生状況を一覧表示させる
ことを特徴とする再生状況表示装置。
【請求項１０】
請求項１から請求項９のいずれかに記載の再生状況表示装置において、
利用者の操作に基づいて、再生希望時間を取得する再生希望時間取得部を備え、
前記表示制御部は、前記再生希望時間及び前記コンテンツの未再生時間との差分が、所定の第一時間閾値以内であるコンテンツに対する前記コンテンツの再生状況を表示させる
ことを特徴とする再生状況表示装置。
【請求項１１】
請求項１から請求項７及び請求項１０のいずれかに記載の再生状況表示装置において、
前記時間検出部は、前記コンテンツが最後に再生された最終再生日時を検出し、
前記表示制御部は、複数のコンテンツに対する前記コンテンツの再生状況を、前記最終再生日時に基づく順序で一覧表示させる
ことを特徴とする再生状況表示装置。
【請求項１２】
請求項１から請求項１１のいずれかに記載の再生状況表示装置において、
利用者の操作に基づいて、希望経過時間を取得する希望経過時間取得部を備え、
前記表示制御部は、最終再生日時からの経過時間と前記希望経過時間との差分を算出し、当該差分が、所定の第二時間閾値以内であるコンテンツに対する前記コンテンツの再生状況を表示させる
ことを特徴とする再生状況表示装置。
【請求項１３】
コンピュータにより、映像または音声のコンテンツの再生状況を表示部に表示させる再生状況表示方法であって、
前記コンピュータは、
前記コンテンツを再生する再生ステップと、
前記コンテンツの全部を再生するために要する全再生時間、及び前記コンテンツのうち再生済みの部分に対応した再生済時間を検出する時間検出ステップと、
利用者の操作に基づいて、前記コンテンツを特定するコンテンツ特定情報、当該コンテンツの全再生時間、及び当該コンテンツの再生済時間を含む前記コンテンツの再生状況を前記表示部に表示させる表示制御ステップと、を実施する
ことを特徴とする再生状況表示方法。
【請求項１４】
コンピュータにより、映像または音声のコンテンツの再生状況を表示部に表示させる再生状況表示方法であって、
前記コンピュータは、
前記コンテンツを再生する再生ステップと、
前記コンテンツの全部を再生するために要する全再生時間、及び前記コンテンツのうち未再生の部分に対応した未再生時間を検出する時間検出ステップと、
利用者の操作に基づいて、前記コンテンツを特定するコンテンツ特定情報、当該コンテンツの全再生時間、及び当該コンテンツの未再生時間を含む前記コンテンツの再生状況を前記表示部に表示させる表示制御ステップと、を実施する
ことを特徴とする再生状況表示方法。
【請求項１５】
請求項１３に記載の再生状況表示方法をコンピュータに実行させる
ことを特徴とする再生状況表示プログラム。
【請求項１６】
請求項１４に記載の再生状況表示方法をコンピュータに実行させる
ことを特徴とする再生状況表示プログラム。
【請求項１７】
請求項１５に記載の再生状況表示プログラムがコンピュータ読取可能に記録された
ことを特徴とする再生状況表示プログラムを記録した記録媒体。
【請求項１８】
請求項１６に記載の再生状況表示プログラムがコンピュータ読取可能に記録された
ことを特徴とする再生状況表示プログラムを記録した記録媒体。
【発明の詳細な説明】
【技術分野】
【０００１】
本発明は、再生状況表示装置、これを用いた再生状況表示方法、再生状況表示プログラム、および、このプログラムを記録した記録媒体に関する。
【背景技術】
【０００２】
従来、ハードディスクなどの記録媒体に録画されたコンテンツを再生し、この再生した状況を表示する構成が知られている（例えば、特許文献１参照）。
この特許文献１の構成では、録画されている番組のタイトル情報を表示させるときに、所定割合以上再生が完了している番組については、「済」の文字を表示させ、所定割合以上再生が完了していない番組については、「未」の文字を表示させる。
【先行技術文献】
【特許文献】
【０００３】
【特許文献１】特開２０１０−２７７６８６号公報
【発明の概要】
【発明が解決しようとする課題】
【０００４】
しかしながら、特許文献１のような構成では、番組が所定割合以上再生済みか否かを判断できるものの、例えば、利用者が空き時間に番組を見たい場合に、この空き時間内で見終えることができる番組を選択できないおそれがある。すなわち、例えば、１５分の空き時間がある場合に、特許文献１の構成では、未再生時間が１５分以内である番組を容易に見つけることができないおそれがある。
【０００５】
本発明は、利用者に視聴対象のコンテンツを適切に選択させることが可能な再生状況表示装置、これを用いた再生状況表示方法、再生状況表示プログラム、および、このプログラムを記録した記録媒体を提供することを１つの目的とする。
【課題を解決するための手段】
【０００６】
本発明の再生状況表示装置は、映像または音声のコンテンツの再生状況を表示部に表示させる再生状況表示装置であって、前記コンテンツを再生する再生部と、前記コンテンツの全部を再生するために要する全再生時間、及び前記コンテンツのうち再生済みの部分に対応した再生済時間を検出する時間検出部と、利用者の操作に基づいて、前記コンテンツを特定するコンテンツ特定情報、当該コンテンツの全再生時間、及び当該コンテンツの再生済時間を含む前記コンテンツの再生状況を前記表示部に表示させる表示制御部と、を備えることを特徴とする。
【０００７】
本発明の再生状況表示装置は、映像または音声のコンテンツの再生状況を表示部に表示させる再生状況表示装置であって、前記コンテンツを再生する再生部と、前記コンテンツの全部を再生するために要する全再生時間、及び前記コンテンツのうち未再生の部分に対応した未再生時間を検出する時間検出部と、利用者の操作に基づいて、前記コンテンツを特定するコンテンツ特定情報、当該コンテンツの全再生時間、及び当該コンテンツの未再生時間を含む前記コンテンツの再生状況を前記表示部に表示させる表示制御部と、を備えることを特徴とする。
【０００８】
本発明の再生状況表示方法は、コンピュータにより、映像または音声のコンテンツの再生状況を表示部に表示させる再生状況表示方法であって、前記コンピュータは、前記コンテンツを再生する再生ステップと、前記コンテンツの全部を再生するために要する全再生時間、及び前記コンテンツのうち再生済みの部分に対応した再生済時間を検出する時間検出ステップと、利用者の操作に基づいて、前記コンテンツを特定するコンテンツ特定情報、当該コンテンツの全再生時間、及び当該コンテンツの再生済時間を含む前記コンテンツの再生状況を前記表示部に表示させる表示制御ステップと、を実施することを特徴とする。
【０００９】
本発明の再生状況表示方法は、コンピュータにより、映像または音声のコンテンツの再生状況を表示部に表示させる再生状況表示方法であって、前記コンピュータは、前記コンテンツを再生する再生ステップと、前記コンテンツの全部を再生するために要する全再生時間、及び前記コンテンツのうち未再生の部分に対応した未再生時間を検出する時間検出ステップと、利用者の操作に基づいて、前記コンテンツを特定するコンテンツ特定情報、当該コンテンツの全再生時間、及び当該コンテンツの未再生時間を含む前記コンテンツの再生状況を前記表示部に表示させる表示制御ステップと、を実施することを特徴とする。
【００１０】
本発明の再生状況表示プログラムは、上述の再生状況表示方法をコンピュータに実行させることを特徴とする。
【００１１】
本発明の再生状況表示プログラムを記録した記録媒体は、上述の再生状況表示プログラムがコンピュータ読取可能に記録されたことを特徴とする。
【図面の簡単な説明】
【００１２】
【図１】本発明の第一実施形態に係る再生状況表示装置としての記録再生装置の概略構成を示すブロック図。
【図２】コンテンツ記憶領域に記憶される録画コンテンツのデータ構造を示す図。
【図３】第一実施形態における再生状況表示方法のフローチャート。
【図４】時間表示モードの表示処理を示すフローチャート。
【図５】再生済時間表示画面の画面表示例を示す図。
【図６】未再生時間表示画面の画面表示例を示す図。
【図７】割合表示モードの表示処理を示すフローチャート。
【図８】再生済割合表示画面の画面表示例を示す図。
【図９】未再生割合表示画面の画面表示例を示す図。
【図１０】グラフ表示モードの表示処理を示すフローチャート。
【図１１】グラフ表示画面の表示画面例を示す図。
【図１２】再生済時間・グラフ表示画面の表示画面例を示す図。
【図１３】未再生時間・グラフ表示画面の表示画面例を示す図。
【図１４】サムネイル表示モードの表示処理を示すフローチャート。
【図１５】サムネイル表示画面の表示例を示す図。
【図１６】第二実施形態に係る記録再生装置の概略構成を示すブロック図。
【図１７】第二実施系形態における録画コンテンツのデータ構造を示す図。
【図１８】第二実施形態におけるリスト抽出処理及びソート処理を示すフローチャート。
【発明を実施するための形態】
【００１３】
［第一実施形態］
以下、本発明の第一実施形態について、図面に基づいて説明する。
［記録再生装置の構成］
図１は、本発明の第一実施形態に係る再生状況表示装置としての記録再生装置１の概略構成を示すブロック図である。
本実施形態の記録再生装置１は、放送局から配信される放送コンテンツを受信（取得）し、受信した放送コンテンツを録画及び再生する装置である。ここで、本発明における「コンテンツ」とは、記録再生装置１により受信（取得）され、録画されたコンテンツ（録画コンテンツ１００：図２参照）を指す。
この記録再生装置１は、図１に示すように、受信部２と、入力部３と、記憶部４と、制御装置５と、を備える。そして、この記録再生装置１は、制御装置５により各種プログラムを実行することで、放送コンテンツや、録画コンテンツ１００を、表示装置１０により再生させる、いわゆるコンピュータである。
また、記録再生装置１に接続される表示装置１０は、表示部１１及び音声出力部１２を備える。表示部１１は、記録再生装置１から入力された放送コンテンツや録画コンテンツ１００の映像データを表示する。音声出力部１２は、記録再生装置１から入力された放送コンテンツや録画コンテンツ１００の音声データを再生する。
なお、本実施形態では、一例として、受信部２により、放送局から配信される放送コンテンツを受信する例を示すが、これに限定されない。例えば、記録再生装置１がインターネットに接続され、受信部２は、インターネット上で公開されている動画コンテンツや、音楽コンテンツを受信する構成であってもよい。
【００１４】
受信部２は、制御装置５の制御に基づいて、放送コンテンツ（又は動画コンテンツや音楽コンテンツ）を受信し、受信した放送コンテンツを制御装置５に出力する。
入力部３は、利用者により操作可能な入力ボタン等の操作部（図示略）を備え、操作部の操作内容に応じた入力信号を制御装置５に出力する。また、入力部３は、マウスやキーボード等の外部操作部材が入力可能であり、これらの外部操作部材からの入力信号を制御装置５に出力する構成としてもよい。
【００１５】
記憶部４は、例えば、ハードディスクやメモリー等により構成され、コンテンツ記憶領域４１及びプログラム記憶領域４２を備える。コンテンツ記憶領域４１は、録画コンテンツ１００が記憶される記憶領域である。プログラム記憶領域４２は、制御装置５により実行されるプログラム等が記憶される記憶領域である。
【００１６】
ここで、コンテンツ記憶領域４１に記憶される録画コンテンツ１００に関して、図２に基づいて説明する。
図２は、コンテンツ記憶領域４１に記憶される録画コンテンツ１００のデータ構造を示す図である。
コンテンツ記憶領域４１には、複数の録画コンテンツ１００が記憶されており、これらの録画コンテンツ１００は、図２に示すように、映像・音声データ１１０と、録画タイトルデータ１２０と、録画再生状況データ１３０と、を備える。
映像・音声データ１１０は、表示装置１０の表示部１１や音声出力部１２により、実際に再生出力される映像や音声のデータである。また、映像・音声データ１１０の映像データとして、複数のフレーム画像を有している。
【００１７】
録画タイトルデータ１２０は、図２に示すように、録画日時１２１、本発明のコンテンツ特定情報である録画番組名１２２、録画モード１２３、サムネイル画像１２４、及び録画トータル時間１２５を含む。
録画日時１２１は、放送コンテンツが受信され、録画コンテンツ１００の録画が実施された日時を示すデータである。
録画番組名１２２は、本発明のコンテンツ特定情報であり、録画コンテンツ１００の番組名を示すデータである。
録画モード１２３は、録画コンテンツ１００が録画された際の録画画質を示すデータである。具体的には、録画モード１２３には、デジタル放送の映像や音声が直接記録されことを示すＤＲモード、高画質での録画を示すＸＰモード、標準画質での録画を示すＳＰモード、低画質での録画を示すＥＰモード、超低画質での録画を示すＬＰモード、コンテンツ記憶領域４１の空き容量に応じた画質での録画を示すＦＲモード等が記録される。
サムネイル画像１２４は、本発明のコンテンツ特定情報としても利用することができるデータであり、例えば、タイトル画像等が記録される。また、再生部５２により録画コンテンツ１００が再生され、かつ、再生が途中で停止された場合、当該停止時点での映像・音声データ１１０のフレーム画像がサムネイル画像１２４として記録される。
録画トータル時間１２５は、録画コンテンツ１００の録画開始時点から録画終了時点までのトータル時間である。言い換えると、録画トータル時間１２５は、映像・音声データ１１０を通常速度（指定されたフレームレート）で開始フレーム画像から終了フレーム画像までを再生した際に、再生に要する時間を指す。
なお、録画タイトルデータ１２０は、更に、録画コンテンツ１００の消去を許可するか否かを示す録画番組保護設定や、プレイリスト識別データ等、他のデータを含むものであってもよい。
【００１８】
録画再生状況データ１３０は、録画コンテンツ１００が再生された際に更新されるデータであり、再生済時間１３１、未再生時間１３２、再生済時間割合１３３、及び未再生時間割合１３４を備える。
再生済時間１３１は、録画コンテンツ１００の再生済みの時間である。つまり、この再生済時間１３１は、録画コンテンツ１００の再生時間の延べ時間を指すものではなく、映像・音声データ１１０の映像のうち、一度でも再生が実施されたフレーム画像の数に対応して算出される時間となる。つまり、再生済時間１３１は、一度でも再生が実施されたフレーム画像を通常速度で再生した際に、再生に要する時間を指す。
未再生時間１３２は、録画コンテンツ１００の映像・音声データ１１０のうち、再生されていない部分に対応した時間であり、録画トータル時間１２５から再生済時間１３１を差し引いた時間である。
再生済時間割合１３３は、再生済時間１３１の録画トータル時間１２５に対する割合である。
未再生時間割合１３４は、未再生時間１３２の録画トータル時間１２５に対する割合である。
また、録画再生状況データ１３０は、上記再生済時間１３１、未再生時間１３２、再生済時間割合１３３、未再生時間割合１３４に限らず、さらに、一度でも録画コンテンツ１００が再生されたかを示す再生フラグ情報や、最後に録画コンテンツ１００が再生された最終再生日時などを含んでもよい。
【００１９】
［制御装置の構成］
制御装置５は、例えばＣＰＵ（Central Processing Unit）等の回路により構成され、プログラム記憶領域４２に記憶されたプログラムを実行することで、記録再生装置１の動作を制御する。すなわち、制御装置５は、録画部５１と、再生部５２と、時間検出部５３と、表示モード設定部５４と、表示制御部５５と、を機能として備えている。
【００２０】
録画部５１は、受信部２で受信された放送コンテンツをコンテンツ記憶領域４１に記憶（録画）する。
具体的には、録画部５１は、例えば利用者による入力部３の操作により録画指示が入力された場合や、図示しない内部時計が予め設定された録画予約時間になった場合などにおいて、受信部２を制御して、所定の放送コンテンツを受信させ、受信した放送コンテンツを録画コンテンツ１００としてコンテンツ記憶領域４１に記憶する。
【００２１】
再生部５２は、例えば利用者による入力部３の操作により、放送中の放送コンテンツを再生させる再生指示が入力された場合に、受信部２を制御して、所定の放送コンテンツを受信させる。そして、再生部５２は、受信した放送コンテンツを表示装置１０に出力し、表示装置１０の表示部１１や音声出力部１２により放送コンテンツを再生させる。
また、再生部５２は、例えば利用者による入力部３の操作により、コンテンツ記憶領域４１に記憶された録画コンテンツ１００を再生させる録画コンテンツ再生指示が入力された場合に、コンテンツ記憶領域４１から、利用者により指定された録画コンテンツ１００を読み出す。そして、再生部５２は、読み出した録画コンテンツ１００を表示装置１０に出力して再生させる。つまり、再生部５２は、表示装置１０の表示部１１や音声出力部１２により、録画コンテンツ１００の映像・音声データ１１０を再生させる。
【００２２】
時間検出部５３は、録画コンテンツ１００の録画トータル時間１２５及び再生済時間１３１を検出し、未再生時間１３２、再生済時間割合１３３、及び未再生時間割合１３４を算出する。
具体的には、時間検出部５３は、録画部５１により放送コンテンツの録画処理が実施され、コンテンツ記憶領域４１への録画コンテンツ１００の記憶が完了すると、録画開始日時及び録画終了日時に基づいて、録画トータル時間１２５を検出し、録画タイトルデータ１２０に記憶する。
また、時間検出部５３は、再生部５２による録画コンテンツ１００の再生中に、例えば利用者による入力部３の操作により、再生の停止処理が実施されると、映像・音声データ１１０における停止フレームを検出する。そして、時間検出部５３は、開始フレーム画像から停止フレーム画像までの時間的長さ、つまり再生済時間１３１を検出し、録画再生状況データ１３０に記憶する。
さらに、時間検出部５３は、これらの検出された録画トータル時間１２５及び再生済時間１３１に基づいて、未再生時間１３２、再生済時間割合１３３、及び未再生時間割合１３４を算出し、録画再生状況データ１３０に記憶する。
【００２３】
表示モード設定部５４は、例えば利用者による入力部３の入力に基づいて、録画リストを表示させる際の表示モードを設定する。
ここで、表示モード設定部５４に設定される表示モードとしては、時間表示モード、割合表示モード、グラフ表示モード、及びサムネイル表示モード、などが挙げられる。
表示制御部５５は、表示モード設定部５４に設定された表示モードに従って、コンテンツ記憶領域４１に記憶される複数の録画コンテンツ１００をリスト表示させる。
なお、表示モード設定部５４及び表示制御部５５の動作の詳細については後述する。
【００２４】
［再生状況表示方法］
次に、上述したような記録再生装置１による再生状況表示方法（録画リスト表示処理）について、図面に基づいて説明する。
図３は、本実施形態における再生状況表示方法（録画リスト表示処理）のフローチャートである。
記録再生装置１は、例えば利用者による入力部３の入力に基づいて、録画コンテンツ１００を一覧表示させる旨の一覧表示指令が入力されると、コンテンツ記憶領域４１に記憶された録画コンテンツ１００を一覧表示させる録画リスト表示処理を実施する。
これには、まず、制御装置５は、表示モード設定部５４により、録画コンテンツ１００を一覧表示させる際の表示モードを設定する（ステップＳ１）。ここで、表示モードの初期設定としては、時間表示モードが設定されており、入力部３から表示モードを指定する旨の入力信号がない場合、表示モード設定部５４は、初期設定である時間表示モードを表示モードとして設定する。
一方、ステップＳ１において、例えば、利用者による入力部３の操作により、表示モードを所定の表示モードに指定するモード設定指令が入力されると、表示モード設定部５４は、当該モード設定指令に基づいて、表示モードを設定する。ここで設定される表示モードとしては、上述したように、時間表示モード、割合表示モード、グラフ表示モード、及びサムネイル表示モード等が挙げられる。
【００２５】
次に、表示制御部５５は、ステップＳ１にて設定された表示モードが、時間表示モードであるか否かを判定する（ステップＳ２）。
表示制御部５５は、このステップＳ２で、表示モードが再生済時間表示モードであると判定した場合（「Ｙｅｓ」と判定した場合）、時間表示モードにおける表示処理を実施する（ステップＳ１０）。
【００２６】
［時間表示モードの表示処理］
図４は、時間表示モードの表示処理を示すフローチャートである。
ステップＳ１０では、表示制御部５５は、図４に示すように、まず、表示基準設定を実施する（ステップＳ１１）。
このステップＳ１１では、表示制御部５５は、録画リスト画面に、再生済時間１３１を表示させるか、未再生時間１３２を表示させるかを設定する。なお、本実施形態では、初期設定において表示基準として再生済時間１３１が設定されており、利用者による入力部３の入力操作により、未再生時間１３２を表示基準に設定する旨の入力が実施されると、表示制御部５５は、表示基準を未再生時間１３２に設定する。
【００２７】
次に、表示制御部５５は、ステップＳ１１に基づいて、時間表示リスト画面を表示させる（ステップＳ１２）。
図５は、再生済時間表示画面の画面表示例を示す図である。
図６は、未再生時間表示画面の画面表示例を示す図である。
表示制御部５５は、ステップＳ１１において設定された表示基準が再生済時間１３１である場合、図５に示すような再生済時間表示画面２０１Ａを表示させる。一方、表示制御部５５は、ステップＳ１１において設定された表示基準が未再生時間１３２である場合、図６に示すような未再生時間表示画面２０１Ｂを表示させる。
【００２８】
ここで、各画面２０１Ａ，２０１Ｂの画面構成について説明する。
再生済時間表示画面２０１Ａの画面上部に、例えば「録画リスト」といった、録画リストの一覧表示である旨の見出し部２１１が設けられる。また、見出し部２１１には、例えば「時間表示モード」といった表示モード設定部５４により設定された表示モードが表示されてもよい。
また、再生済時間表示画面２０１Ａの画面中央部に、コンテンツ記憶領域４１に記憶された録画コンテンツ１００が一覧表示された、リスト表示部２１２Ａが設けられる。
このリスト表示部２１２Ａには、各録画コンテンツ１００の録画番組名１２２、録画日時１２１、録画モード１２３、再生済時間１３１、及び録画トータル時間１２５が表示される。
【００２９】
また、再生済時間表示画面２０１Ａの画面下部には、利用者の操作入力を受け付ける操作アイコン２１３が設けられる。この操作アイコン２１３に表示される各アイコンとしては、例えば図５に示すように、終了ボタン２１３Ａ、表示モードを選択するためのモード選択用ボックス２１３Ｂ（例えば、ドロップダウンリスト表示）、未再生時間表示ボタン２１３Ｃ等が挙げられる。
終了ボタン２１３Ａは、録画コンテンツ１００の一覧表示処理を終了させるためのボタンである。
モード選択用ボックス２１３Ｂは、録画コンテンツ１００の録画リスト表示処理における表示モードを選択するためのボックスである。利用者の操作により、このモード選択用ボックス２１３Ｂに表示される表示モードが変更されることで、表示モード設定部５４は、表示モードを、変更されたモードに切り替えて設定する。
未再生時間表示ボタン２１３Ｃは、再生済時間表示画面２０１Ａから未再生時間表示画面２０１Ｂに切り替えるためのボタンである。
【００３０】
また、未再生時間表示画面２０１Ｂは、再生済時間表示画面２０１Ａと略同様の画面構成を有する。
すなわち、未再生時間表示画面２０１Ｂの画面上部には、見出し部２１１が設けられる。
また、未再生時間表示画面２０１Ｂの画面中央部に、コンテンツ記憶領域４１に記憶された録画コンテンツ１００が一覧表示された、リスト表示部２１２Ｂが設けられる。このリスト表示部２１２Ｂでは、リスト表示部２１２Ａにおける再生済時間１３１に代えて、未再生時間１３２が表示される。
【００３１】
また、未再生時間表示画面２０１Ｂの画面下部には、操作アイコン２１３が設けられる。この操作アイコン２１３に表示される各アイコンとしては、例えば図５に示すように、終了ボタン２１３Ａ、モード選択用ボックス２１３Ｂ、及び再生済時間表示ボタン２１３Ｄ等が挙げられる。
再生済時間表示ボタン２１３Ｄは、未再生時間表示画面２０１Ｂから再生済時間表示画面２０１Ａに切り替えるためのボタンである。
【００３２】
ここで、利用者の入力部３の操作によりリスト表示部２１２Ａ又はリスト表示部２１２Ｂに表示されたいずれかの録画コンテンツ１００が選択されると、制御装置５の再生部５２は、当該選択された録画コンテンツ１００を再生する。この時、再生部５２は、当該選択された録画コンテンツ１００が、以前再生されたことがあり、かつ再生が途中で停止されている場合、停止された位置から当該選択された録画コンテンツ１００を再生させる処理をしてもよい。また、利用者の指定により、再生位置を、「前回停止した位置」、「開始位置」、「任意位置」から選択可能な構成としてもよい。
【００３３】
このステップＳ１２の後、表示制御部５５は、表示基準が変更されたか否かを判定する（ステップＳ１３）。具体的には、表示制御部５５は、利用者の入力部３の入力操作により、未再生時間表示ボタン２１３Ｃ又は再生済時間表示ボタン２１３Ｄが選択されたか否かを判定する。
そして、ステップＳ１３において、表示基準が変更された場合、ステップＳ１１に戻り、選択されたボタン（未再生時間表示ボタン２１３Ｃ又は再生済時間表示ボタン２１３Ｄ）に対応して、表示基準を設定し、ステップＳ１２において、設定しなおした表示基準に基づいて、時間表示リスト画面（再生済時間表示画面２０１Ａ又は未再生時間表示画面２０１Ｂ）を表示させる。
【００３４】
一方、ステップＳ１３において、「Ｎｏ」と判定された場合、つまり、表示基準の変更がないと判定された場合、表示モードが変更されたか否かを判定する（ステップＳ１４）。具体的には、表示制御部５５は、利用者の入力部３の入力操作により、モード選択用ボックス２１３Ｂが操作され、表示モードが他のモードに変更された否かを判定する。
このステップＳ１４において、「Ｙｅｓ」と判定された場合、すなわち、表示モードを変更する旨の入力が実施されたと判定された場合、図３におけるステップＳ１に戻る。つまり、表示モード設定部５４は、ステップＳ１４の入力に従い、表示モードを設定する。
【００３５】
また、ステップＳ１４において、「Ｎｏ」と判定された場合、つまり、表示モードの変更がないと判定された場合、表示制御部５５は、表示を終了するか否かを判定する（ステップＳ１５）。具体的には、表示制御部５５は、利用者の入力部３の入力操作により、終了ボタン２１３Ａが選択されたか否かを判定する。
このステップＳ１５において、「Ｙｅｓ」と判定された場合、つまり、終了ボタン２１３Ａが選択された場合は、録画リスト表示処理を終了させる。
一方、ステップＳ１５において、「Ｎｏ」と判定された場合、時間表示リスト画面を継続表示させる。
【００３６】
図３に戻り、ステップＳ２において、「Ｎｏ」と判定された場合、表示制御部５５は、ステップＳ１にて設定された表示モードが、割合表示モードであるか否かを判定する（ステップＳ３）。
表示制御部５５は、このステップＳ３で、表示モードが割合表示モードであると判定した場合（「Ｙｅｓ」と判定した場合）、割合表示モードにおける表示処理を実施する（ステップＳ２０）。
【００３７】
［割合表示モードにおける表示処理］
図７は、割合表示モードの表示処理を示すフローチャートである。
ステップＳ２０では、表示制御部５５は、図７に示すように、まず、表示基準設定を実施する（ステップＳ２１）。このステップＳ２１は、ステップＳ１１と略同様であり、表示制御部５５は、録画リスト画面に、再生済時間割合１３３を表示させるか、未再生時間割合１３４を表示させるかを設定する。なお、本実施形態では、初期設定において表示基準として再生済時間割合１３３が設定されており、利用者による入力部３の入力操作により、未再生時間割合１３４を表示基準に設定する旨の入力が実施されると、表示制御部５５は、未再生時間割合１３４を表示基準に設定する。
【００３８】
次に、表示制御部５５は、ステップＳ２１により設定された表示基準に基づいて、割合表示リスト画面を表示させる（ステップＳ２２）。
図８は、再生済割合表示画面２０２Ａの画面表示例を示す図である。
図９は、未再生割合表示画面２０２Ｂの画面表示例を示す図である。
表示制御部５５は、ステップＳ２１において設定された表示基準が再生済時間割合１３３である場合、図８に示すような再生済割合表示画面２０２Ａを表示させる。一方、表示制御部５５は、ステップＳ２１において設定された表示基準が未再生時間割合１３４の場合、図９に示すような未再生割合表示画面２０２Ｂを表示させる。
【００３９】
ここで、各画面２０２Ａ，２０２Ｂの画面構成について説明する。
再生済割合表示画面２０２Ａは、再生済時間表示画面２０１Ａと略同様の画面構成を有し、画面上部に見出し部２１１を備える。
また、再生済割合表示画面２０２Ａの画面中央部には、コンテンツ記憶領域４１に記憶された録画コンテンツ１００が一覧表示された、リスト表示部２１４Ａが設けられる。
このリスト表示部２１４Ａには、各録画コンテンツ１００の録画番組名１２２、録画日時１２１、録画モード１２３、再生済時間割合１３３、及び録画トータル時間１２５が表示される。
【００４０】
また、再生済割合表示画面２０２Ａの画面下部には、再生済時間表示画面２０１Ａと略同様、操作アイコン２１３が設けられる。この操作アイコン２１３に表示される各アイコンとしては、例えば図８に示すように、終了ボタン２１３Ａ、モード選択用ボックス２１３Ｂ、未再生割合表示ボタン２１３Ｅ等が挙げられる。
未再生割合表示ボタン２１３Ｅは、再生済割合表示画面２０２Ａから未再生割合表示画面２０２Ｂに切り替えるためのボタンである。
【００４１】
また、未再生割合表示画面２０２Ｂは、未再生時間表示画面２０１Ｂと略同様の画面構成を有する。
未再生割合表示画面２０２Ｂの画面上部には、見出し部２１１が設けられる。
また、未再生割合表示画面２０２Ｂの画面中央部に、コンテンツ記憶領域４１に記憶された録画コンテンツ１００が一覧表示された、リスト表示部２１４Ｂが設けられる。このリスト表示部２１４Ｂは、図９に示すように、リスト表示部２１４Ａにおける再生済時間割合１３３に代えて、未再生時間割合１３４が表示される。
【００４２】
また、未再生割合表示画面２０２Ｂの画面下部には、操作アイコン２１３が設けられる。この操作アイコン２１３に表示される各アイコンとしては、例えば図９に示すように、終了ボタン２１３Ａ、モード選択用ボックス２１３Ｂ、及び再生済割合表示ボタン２１３Ｆ等が挙げられる。
再生済割合表示ボタン２１３Ｆは、未再生割合表示画面２０２Ｂから再生済割合表示画面２０２Ａに切り替えるためのボタンである。
【００４３】
また、割合表示モードの表示処理においても、時間表示モードでの表示処理と同様、利用者の入力部３の操作によりリスト表示部２１４Ａ又はリスト表示部２１４Ｂに表示されたいずれかの録画コンテンツ１００が選択されると、制御装置５の再生部５２は、当該選択された録画コンテンツ１００を再生する。
【００４４】
このステップＳ２２の後、表示制御部５５は、表示基準が変更されたか否かを判定する（ステップＳ２３）。具体的には、表示制御部５５は、利用者の入力部３の入力操作により、未再生割合表示ボタン２１３Ｅ又は再生済割合表示ボタン２１３Ｆが選択されたか否かを判定する。
そして、ステップＳ２３において、表示基準が変更された場合、ステップＳ２１に戻り、選択されたボタン（未再生割合表示ボタン２１３Ｅ又は再生済割合表示ボタン２１３Ｆ）に対応して、表示基準を設定し、ステップＳ２２において、設定しなおした表示基準に基づいて、割合表示リスト画面（再生済割合表示画面２０２Ａ又は未再生割合表示画面２０２Ｂ）を表示させる。
【００４５】
一方、ステップＳ２３において、「Ｎｏ」と判定された場合、つまり、表示基準の変更がないと判定された場合、ステップＳ１４と同様、表示モードが変更されたか否かを判定する（ステップＳ２４）。
このステップＳ２４において、「Ｙｅｓ」と判定された場合、図３におけるステップＳ１に戻る。つまり、表示モード設定部５４は、ステップＳ２４の入力に従い、表示モードを設定する。
【００４６】
また、ステップＳ２４において、「Ｎｏ」と判定された場合、表示制御部５５は、ステップＳ１５と同様、表示を終了するか否かを判定する（ステップＳ２５）。
このステップＳ２５において、「Ｙｅｓ」と判定された場合、録画リスト表示処理を終了させる。一方、ステップＳ２５において、「Ｎｏ」と判定された場合、割合表示リスト画面を継続表示させる。
【００４７】
図３に戻り、ステップＳ３において、「Ｎｏ」と判定された場合、表示制御部５５は、ステップＳ１にて設定された表示モードが、グラフ表示モードであるか否かを判定する（ステップＳ４）。
表示制御部５５は、このステップＳ４で、表示モードがグラフ表示モードであると判定した場合（「Ｙｅｓ」と判定した場合）、グラフ表示モードにおける表示処理を実施する（ステップＳ３０）。
【００４８】
［グラフ表示モードにおける表示処理］
図１０は、グラフ表示モードの表示処理を示すフローチャートである。
図１１は、グラフ表示画面の表示画面例を示す図である。
このステップＳ３０では、表示制御部５５は、録画トータル時間１２５及び再生済時間割合１３３（又は未再生時間割合１３４）に基づいて、録画トータル時間１２５に対する再生済時間割合１３３及び未再生時間割合１３４を示す棒グラフを作成し、図１１に示すようなグラフ表示画面２０３Ａを表示装置１０の表示部１１に表示させる（ステップＳ３１）。
【００４９】
ここで、グラフ表示画面２０３Ａの画面構成について説明する。
グラフ表示画面２０３Ａは、再生済時間表示画面２０１Ａと略同様の画面構成を有し、画面上部に見出し部２１１を備える。
また、グラフ表示画面２０３Ａの画面中央部には、コンテンツ記憶領域４１に記憶された録画コンテンツ１００が一覧表示されたリスト表示部２１５が設けられる。
このリスト表示部２１５には、各録画コンテンツ１００の録画番組名１２２、録画日時１２１、録画モード１２３、録画トータル時間１２５、及び、録画トータル時間１２５及び再生済時間割合１３３（又は未再生時間割合１３４）に基づいて作成されたグラフ２１６が表示される。
【００５０】
また、グラフ表示画面２０３Ａの画面下部には、再生済時間表示画面２０１Ａと略同様、操作アイコン２１３が設けられる。この操作アイコン２１３に表示される各アイコンとしては、例えば図１１に示すように、終了ボタン２１３Ａ、モード選択用ボックス２１３Ｂ、再生済時間表示ボタン２１３Ｇ、未再生時間表示ボタン２１３Ｈ等が挙げられる。
再生済時間表示ボタン２１３Ｇは、グラフ表示画面２０３Ａのリスト表示部２１５に、更に再生済時間１３１を追加表示させるためのボタンである。
未再生時間表示ボタン２１３Ｈは、グラフ表示画面２０３Ａのリスト表示部２１５に、更に未再生時間１３２を追加表示させるためのボタンである。
【００５１】
また、グラフ表示モードの表示処理においても、時間表示モードでの表示処理と同様、利用者の入力部３の操作によりリスト表示部２１５に表示されたいずれかの録画コンテンツ１００が選択されると、制御装置５の再生部５２は、当該選択された録画コンテンツ１００を再生する。
【００５２】
ステップＳ３１の後、表示制御部５５は、再生済時間１３１の表示を実施するか否かを判定する（ステップＳ３２）。具体的には、表示制御部５５は、利用者の入力部３の入力操作により、未再生割合表示ボタン２１３Ｅが選択されたか否かを判定する。
そして、ステップＳ３２において、「Ｙｅｓ」と判定された場合、つまり、再生済時間１３１の表示を実施する旨の操作が行われたと判定した場合、表示制御部５５は、再生済時間・グラフ表示画面２０３Ｂを表示させる（ステップＳ３３）。
図１２は、再生済時間・グラフ表示画面２０３Ｂの表示画面例を示す図である。
この再生済時間・グラフ表示画面２０３Ｂは、図１２に示すように、グラフ表示画面２０３Ａと略同様の画面構成を有し、リスト表示部２１５において、更に再生済時間１３１が表示された画面である。
【００５３】
また、ステップＳ３２において、「Ｎｏ」と判定された場合、表示制御部５５は、更に、未再生時間１３２の表示を実施するか否かを判定する（ステップＳ３４）。具体的には、表示制御部５５は、利用者の入力部３の入力操作により、再生済割合表示ボタン２１３Ｆが選択されたか否かを判定する。
そして、ステップＳ３４において、「Ｙｅｓ」と判定された場合、つまり、未再生時間１３２の表示を実施する旨の操作が行われたと判定した場合、表示制御部５５は、未再生時間・グラフ表示画面２０３Ｃを表示させる（ステップＳ３５）。
図１３は、未再生時間・グラフ表示画面２０３Ｃの表示画面例を示す図である。
この未再生時間・グラフ表示画面２０３Ｃは、図１３に示すように、グラフ表示画面２０３Ａと略同様の画面構成を有し、リスト表示部２１５において、更に未再生時間１３２が表示された画面である。
【００５４】
一方、ステップＳ３３及びステップＳ３５の後、又はステップＳ３４において、「Ｎｏ」と判定された場合、時間表示モードにおけるステップＳ１４と同様、表示モードが変更されたか否かを判定する（ステップＳ３６）。
このステップＳ３６において、「Ｙｅｓ」と判定された場合、図３におけるステップＳ１に戻る。つまり、表示モード設定部５４は、ステップＳ３６の入力に従い、表示モードを設定する。
【００５５】
また、ステップＳ３６において、「Ｎｏ」と判定された場合、表示制御部５５は、ステップＳ１５と同様、表示を終了するか否かを判定する（ステップＳ３７）。
このステップＳ３７において、「Ｙｅｓ」と判定された場合、録画リスト表示処理を終了させる。一方、ステップＳ３７において、「Ｎｏ」と判定された場合、グラフ表示リスト画面を継続表示させる。
なお、上記ステップＳ３０の処理では、ステップＳ３３による再生済時間・グラフ表示画面２０３Ｂの表示、及びステップＳ３４による未再生時間・グラフ表示画面２０３Ｃの表示のいずれかが実施される例を示したが、これに限定されず、グラフ表示画面２０３Ａのリスト表示部２１５に対して再生済時間１３１及び未再生時間１３２の双方が表示される画面を別途表示させてもよい。また、ステップＳ３７において「Ｎｏ」と判定された場合、ステップＳ３１に戻る例を示すが、ステップＳ３３やステップＳ３５による再生済時間・グラフ表示画面２０３Ｂ，未再生時間・グラフ表示画面２０３Ｃの画面表示が行われた場合、これらの画面を継続表示させる構成としてもよい。
【００５６】
図３に戻り、ステップＳ４において、「Ｎｏ」と判定された場合、表示制御部５５は、表示モードがサムネイル表示モードであると判定する。この場合、表示制御部５５は、サムネイル表示モードの表示処理を実施する（ステップＳ４０）。
【００５７】
［サムネイル表示モードにおける表示処理］
図１４は、サムネイル表示モードの表示処理を示すフローチャートである。
図１５は、サムネイル表示画面の表示例を示す図である。
ステップＳ４０では、表示制御部５５は、再生済時間割合１３３及びサムネイル画像１２４に基づいて、サムネイル表示画面２０４を表示装置１０の表示部１１に表示させる（ステップＳ４１）。
このサムネイル表示画面２０４の表示では、表示制御部５５は、再生済時間表示画面２０１Ａ等の表示と同様に、画面上部に見出し部２１１を表示させる。
また、表示制御部５５は、画面下部に操作アイコン２１３を表示させる。サムネイル表示画面２０４における操作アイコン２１３は、終了ボタン２１３Ａ、モード選択用ボックス２１３Ｂを備える。
【００５８】
そして、表示制御部５５は、画面中央部に、コンテンツ記憶領域４１に記憶された録画コンテンツ１００が一覧表示されたリスト表示部２１７を表示させる。
このリスト表示部２１７には、各録画コンテンツ１００のサムネイル画像１２４、及び録画番組名１２２が表示される。
ここで、表示制御部５５は、再生済時間割合１３３（又は未再生時間割合１３４）に応じて、各録画コンテンツ１００のサムネイル画像１２４の表示形態を変化させる。例えば、本実施形態では、再生済時間割合１３３が「０％」（未再生時間割合１３４が「１００％」）の場合における、サムネイル画像１２４の明度を所定の最高明度に設定し、再生済時間割合１３３が大きくなる（未再生時間割合１３４が小さくなる）に従って、サムネイル画像１２４の明度が低く（暗く）なるように、サムネイル画像１２４の表示形態を変化させて表示させる。
なお、サムネイル画像１２４の表示形態の変化としては、図１５に示すような明度による変化に限られない。例えば、再生済時間割合１３３が小さい場合、彩度を大きくし、再生済時間割合１３３が大きくなるに従って、彩度を小さくしてもよい（白黒画像に近づける）。さらには、再生済時間割合１３３に応じて、色相を変化させたり、サムネイル画像１２４自体の表示サイズを変化させたりする表示処理をしてもよい。
【００５９】
また、このサムネイル画像１２４としては、上述したように、放送コンテンツの取得時に、タイトル画像を同時に取得して当該サムネイル画像１２４として設定される。したがって、利用者は、各サムネイル画像１２４を確認することで、各録画コンテンツ１００の内容を容易に確認することができる。
さらに、再生部５２により録画コンテンツ１００が再生されたことがあり、かつ、再生途中に、再生が停止された場合、停止フレームの画像が当該サムネイル画像１２４として設定される。したがって、利用者は、各録画コンテンツ１００のサムネイル画像１２４の表示内容から、前回再生時にどこまで当該録画コンテンツ１００を視聴したかを容易に確認することができる。
以上のように、サムネイル画像１２４の表示により、各録画コンテンツ１００の内容や、再生状況を容易に確認することが可能となり、録画リスト表示における利便性を高めることができる。
【００６０】
そして、表示制御部５５は、ステップＳ４１の後、時間表示モードにおけるステップＳ１４と同様、表示モードが変更されたか否かを判定する（ステップＳ４２）。
このステップＳ４２において、「Ｙｅｓ」と判定された場合、図３におけるステップＳ１に戻る。
また、ステップＳ４２において、「Ｎｏ」と判定された場合、表示制御部５５は、ステップＳ１５と同様、表示を終了するか否かを判定する（ステップＳ４３）。
このステップＳ４３において、「Ｙｅｓ」と判定された場合、録画リスト表示処理を終了させる。一方、ステップＳ４３において、「Ｎｏ」と判定された場合、サムネイル表示画面２０４を継続表示させる。
【００６１】
［第一実施形態の作用効果］
上述したように、本実施形態の記録再生装置１は、録画コンテンツ１００を再生する再生部５２と、録画コンテンツ１００の録画トータル時間１２５及び再生済時間１３１を検出する時間検出部５３と、コンテンツ記憶領域４１に記憶された各録画コンテンツ１００を特定する録画番組名１２２、録画トータル時間１２５及び再生済時間割合１３３を含む録画リストを表示させる表示制御部５５と、を備える。
つまり、本実施形態では、時間表示モードにおいて、再生済時間表示画面２０１Ａを表示することで、録画トータル時間１２５及び再生済時間１３１が表示される。
したがって、利用者は、再生済時間１３１及び録画トータル時間１２５から、各録画コンテンツ１００における未再生部分に対応した時間（未再生時間１３２）を容易に把握することができる。これにより、利用者は、例えば所定の空き時間において視聴可能な未再生時間１３２を有する録画コンテンツ１００を、複数の録画コンテンツ１００のうちから容易に見つけ出すことができる。すなわち、本実施形態の記録再生装置１では、利用者に視聴対象のコンテンツを適切に選択させることができる。
【００６２】
本実施形態の記録再生装置１では、時間検出部５３は、録画トータル時間１２５及び再生済時間１３１を検出し、これらの録画トータル時間１２５及び再生済時間１３１から再生済時間割合１３３を算出する。そして、表示制御部５５は、表示モード設定部５４により割合表示モードが設定された際に、再生済割合表示画面２０２Ａを表示させ、録画トータル時間１２５及び、その録画トータル時間１２５に対する再生済時間割合１３３を表示させる。
このため、利用者は、録画コンテンツ１００の録画トータル時間１２５に対する再生済時間割合１３３から、再生済みの部分のコンテンツがどの程度の時間を占めるかを容易に把握することができ、未再生部分のコンテンツがどの程度の時間を占めるかも容易に把握することができる。
【００６３】
本実施形態の記録再生装置１では、表示制御部５５は、録画トータル時間１２５に対する再生済時間割合１３３をグラフにより表示させる。つまり、表示制御部５５は、表示モード設定部５４によりグラフ表示モードが設定された際に、グラフ表示画面２０３Ａを表示させ、グラフ２１６により、録画トータル時間１２５に対する再生済時間割合１３３を表示する。
このような構成では、利用者は、視覚により直感的に録画トータル時間１２５に対する再生済時間割合１３３や、未再生時間割合１３４を確認することが可能となる。したがって、例えば、録画トータル時間１２５から再生済時間１３１を算出する等、利用者が煩雑な計算を実施する事無く、直感的に再生済時間１３１や未再生時間１３２を確認することができる。
【００６４】
また、本実施形態の記録再生装置１では、グラフ表示モードにおいて、再生済時間・グラフ表示画面２０３Ｂや未再生時間・グラフ表示画面２０３Ｃを表示させる。このため、上述のようなグラフ２１６に加えて、再生済時間１３１や未再生時間１３２の数値を確認することができ、利用者による視聴対象のコンテンツの選択をより適切に支援することができる。
【００６５】
本実施形態の記録再生装置１では、表示制御部５５は、表示モード設定部５４によりサムネイル画像表示モードが設定された際に録画コンテンツ１００のサムネイル画像１２４を取得し、当該サムネイル画像１２４の明度を再生済時間割合１３３に応じて変化させて表示させる。
このような構成では、サムネイル画像１２４を確認することで、容易に録画コンテンツ１００のコンテンツの内容（映像・音声データ１１０の内容）を確認することができ、かつ再生済時間割合１３３に応じた明度の変化状態により、再生済時間割合１３３や未再生時間割合１３４がどの程度の割合であるかをも容易に確認することができる。
【００６６】
また、サムネイル画像１２４は、再生部５２により最後に再生された停止フレームのフレーム画像が記録される。したがって、表示制御部５５によりサムネイル表示画面２０４が表示された際、サムネイル画像１２４として、停止フレーム画像が表示されることとなる。これにより、利用者は、各録画コンテンツ１００をどの場面まで視聴したかを容易に確認することができ、視聴対象の選択時の利便性をより高めることができる。
【００６７】
本実施形態の記録再生装置１では、表示モード設定部５４に時間表示モードが設定され、表示基準として未再生時間１３２が設定された場合、表示制御部５５は、再生済時間１３１及び録画トータル時間１２５を含む未再生時間表示画面２０１Ｂを表示させる。
このため、未再生時間１３２が画面表示されることで、例えば録画トータル時間１２５及び再生済時間１３１から、未再生時間１３２を算出する等の手間を省くことができる。これにより、利用者は、例えば所定の空き時間において視聴可能な未再生時間１３２を有する録画コンテンツ１００を、複数の録画コンテンツ１００のうちから、より容易に見つけ出すことができ、利用者による視聴対象のコンテンツを良好に支援することができる。
【００６８】
また、表示モード設定部５４により割合表示モードが設定され、表示基準として未再生時間割合１３４が設定された場合、表示制御部５５は、未再生時間割合１３４及び録画トータル時間１２５を含む未再生割合表示画面２０２Ｂを表示させる。
このため、利用者は、録画コンテンツ１００の録画トータル時間１２５に対する未再生時間割合１３４から、容易に未再生部分のコンテンツがどの程度の時間を占めるかを確認することができる。
【００６９】
［第二実施形態］
次に、本発明に係る第二実施形態について、図面に基づいて説明する。
上述した第一実施形態の記録再生装置１では、表示制御部５５により、録画リスト処理をする際、各録画コンテンツ１００の並び順の変更処理（ソート処理）や、所望の録画コンテンツ１００の抽出するリスト抽出処理を実施していない。これに対して、第二実施形態の再生状況表示装置は、表示制御部による録画リスト表示処理を実施する前に、ソート処理やリスト抽出処理を実施した後、録画リスト表示処理を実施する点で、上記第一実施形態と相違する。
【００７０】
図１６は、第二実施形態に係る記録再生装置１Ａの概略構成を示すブロック図である。以降の説明にあたり、上記第一実施形態と同様の構成については、同符号を付し、その説明を省略又は簡略化する。
第二実施形態の記録再生装置１Ａでは、図１６に示すように、第一実施形態の記録再生装置１と略同様の構成を有し、制御装置５により実施される機能的な構成として、録画部５１、再生部５２、時間検出部５３、表示モード設定部５４、及び表示制御部５５に加え、更に、抽出条件取得部５６、リスト抽出部５７、ソート条件取得部５８、及びリストソート部５９を備えている。
【００７１】
図１７は、本実施形態における録画コンテンツのデータ構造を示す図である。
図１７に示すように、本実施形態の録画コンテンツ１００は、録画再生状況データ１３０として、最終再生日時１３５をさらに備える。この最終再生日時１３５は、再生部５２により当該録画コンテンツ１００が最後に再生された日時である。
【００７２】
抽出条件取得部５６は、利用者の入力部３の入力操作に基づいて、コンテンツ記憶領域４１から抽出する録画コンテンツ１００の条件（抽出条件）を取得する。この抽出条件としては、再生希望時間、希望経過時間等が挙げられる。
ここで、再生希望時間とは、利用者が希望する録画コンテンツ１００の未再生時間１３２の時間を指す。すなわち、再生希望時間に基づいた録画コンテンツ１００の抽出処理を実施することで、利用者が希望する未再生時間１３２に対応した録画コンテンツ１００が抽出されることとなる。
また、希望経過時間とは、利用者が希望する録画コンテンツ１００の最終再生日時１３５から現在に至るまでの経過時間を指す。すなわち、希望経過時間に基づいた録画コンテンツ１００の抽出処理を実施することで、利用者が希望した期間内に再生された録画コンテンツ１００が抽出されることとなる。
すなわち、抽出条件取得部５６は、本発明の再生希望時間取得部及び希望経過時間取得部として機能する。
なお、本実施形態では、抽出条件取得部５６として、再生希望時間及び希望経過時間を取得する例を示すが、これに限定されない。例えば、抽出条件取得部５６は、後述するリスト抽出部５７による演算で使用する第一時間閾値や、第二時間閾値を取得可能な構成としてもよい。また、抽出条件取得部５６は、抽出条件として、希望する録画日時１２１、録画番組名１２２、録画モード１２３、録画トータル時間１２５の他、録画曜日、一度も再生していない録画コンテンツ１００、録画コンテンツ１００のジャンル等を、抽出条件として取得してもよい。
【００７３】
リスト抽出部５７は、抽出条件取得部５６により取得された条件に基づいて、録画リスト表示処理でリストアップさせる録画コンテンツ１００をコンテンツ記憶領域４１から抽出する。
具体的には、リスト抽出部５７は、抽出条件取得部５６により再生希望時間が取得された場合、当該再生希望時間と、各録画コンテンツ１００の未再生時間１３２との差分値（第一差分値）を算出する。そして、リスト抽出部５７は、当該第一差分値が、予め設定された第一時間閾値よりも小さい録画コンテンツ１００をコンテンツ記憶領域４１から抽出する。なお、第一時間閾値としては、例えば抽出条件取得部５６により取得される値を用いてもよい。
【００７４】
また、リスト抽出部５７は、抽出条件取得部５６により希望経過時間が取得された場合、各録画コンテンツ１００における最終再生日時１３５から現在に至るまでの経過時間を算出し、更に、算出された経過時間と、希望経過時間との差分値（第二差分値）を算出する。そして、リスト抽出部５７は、第二差分値が、予め設定された第二時間閾値よりも小さい録画コンテンツ１００をコンテンツ記憶領域４１から抽出する。なお、第二時間閾値としては、例えば抽出条件取得部５６により取得される値を用いてもよい。
【００７５】
ソート条件取得部５８は、録画リスト表示処理において表示させる録画コンテンツ１００の一覧表示において、当該録画コンテンツ１００の並び順を設定するためのソート条件を取得する。このソート条件は、例えば利用者の入力部３の入力操作に基づいて取得される。
このソート条件としては、例えば、未再生時間１３２の長い順、未再生時間１３２の短い順、最終再生日時１３５の近い順、最終再生日時１３５の遠い順等が挙げられる。
また、上述した抽出条件取得部５６により抽出条件が取得された場合は、取得された抽出条件に基づいたソート条件を取得してもよい。例えば、抽出条件取得部５６により、再生希望時間が取得された場合、「第一差分値が小さい順」をソート条件として取得してもよく、希望経過時間が取得された場合では、「第二差分値が小さい順」をソート条件として取得してもよい。
なお、本実施形態では、上記ソート条件によるソート処理を一例として示すが、これに限定されず、他のソート条件が設定される構成としてもよい。他のソート条件としては、例えば、録画日時１２１が近い順（又は遠い順）、録画番組名１２２の五十音順（又はアルファベット順）、録画モード１２３の種別順、録画トータル時間１２５の長い順（又は短い順）、録画曜日順、録画コンテンツ１００のジャンル順等を、ソート条件として取得することができる。
【００７６】
リストソート部５９は、ソート条件取得部５８により設定されたソート条件で、録画リスト表示処理において表示させる録画コンテンツ１００の並び順を設定する。これにより、表示制御部５５は、リストソート部５９により設定された並び順で、録画コンテンツ１００を並び替えて各画面２０１Ａ，２０１Ｂ，２０２Ａ，２０２Ｂ，２０３Ａ，２０３Ｂ，２０３Ｃ，２０４を表示させる。
【００７７】
［第二実施形態の記録再生装置１Ａにおけるリスト抽出・ソート処理］
次に上述した記録再生装置１Ａによる録画コンテンツ１００のリスト抽出処理、及びソート処理について図面に基づいて説明する。
図１８は、第二実施形態におけるリスト抽出処理及びソート処理を示すフローチャートである。
上述したように記録再生装置１Ａは、表示制御部５５による録画リスト表示処理の実施前に、リスト表示部２１２Ａ，２１２Ｂ，２１４Ａ，２１４Ｂ，２１５，２１７に表示させる各録画コンテンツ１００を抽出するリスト抽出処理、及び、表示させる各録画コンテンツ１００の並び順を設定するソート処理を実施する。
これには、制御装置５は、まず、利用者の入力部３の入力操作に基づいて、各種表示条件を取得する（ステップＳ１０１）。この表示条件は、抽出条件取得部５６により取得される抽出条件、及びソート条件取得部５８により取得されるソート条件を含む。
【００７８】
次に、制御装置５は、録画リスト表示処理におけるリスト表示の対象となる録画コンテンツ１００を抽出するリスト抽出処理を実施する。
これには、リスト抽出部５７は、ステップＳ１０１において、抽出条件取得部５６により抽出条件が取得され、かつその抽出条件に再生希望時間が含まれるか否かを判断する（ステップＳ１０２）。
このステップＳ１０２において、「Ｙｅｓ」と判断された場合、つまり、抽出条件取得部５６により再生希望時間が取得された場合、リスト抽出部５７は、取得された再生希望時間及び各録画コンテンツ１００の未再生時間１３２に基づいて、第一差分値を算出する（ステップＳ１０３）。
更に、リスト抽出部５７は、コンテンツ記憶領域４１から、ステップＳ１０３にて算出された第一差分値が第一時間閾値以下である録画コンテンツ１００を抽出する（ステップＳ１０４）。なお、上述したように、第一時間閾値は、予め設定された値であってもよく、ステップＳ１０１において、表示条件の一つとして取得された値であってもよい。
【００７９】
このステップＳ１０４の後、又はステップＳ１０２において「Ｎｏ」と判断された場合、リスト抽出部５７は、ステップＳ１０１において抽出条件取得部５６により抽出条件が取得され、かつその抽出条件に希望経過時間が含まれるか否かを判断する（ステップＳ１０５）。
このステップＳ１０５において、「Ｙｅｓ」と判断された場合、つまり、抽出条件取得部５６により希望経過時間が取得された場合、リスト抽出部５７は、各録画コンテンツ１００における最終再生日時から現在に至るまでの経過時間を算出し、この算出した経過時間と、希望経過時間と差分値（第二差分値）を算出する（ステップＳ１０６）。
更に、リスト抽出部５７は、コンテンツ記憶領域４１から、ステップＳ１０６にて算出された第二差分値が第二時間閾値以下である録画コンテンツ１００を抽出する（ステップＳ１０７）。なお、上述したように、第二時間閾値は、予め設定された値であってもよく、ステップＳ１０１において、表示条件の一つとして取得された値であってもよい。
なお、ステップＳ１０２及びステップＳ１０５の双方において「Ｎｏ」と判断された場合は、リスト抽出部５７によるリスト抽出処理が実施されない。
【００８０】
そして、ステップＳ１０５において、「Ｎｏ」と判断された場合、又は、ステップＳ１０７の処理の後、制御装置５は、録画リスト表示処理におけるリスト表示の対象となる録画コンテンツ１００の並び順（ソート順）を設定するソート処理を実施する。
これには、リストソート部５９は、ステップＳ１０１において、ソート条件取得部５８により未再生時間１３２に基づいたソート条件が取得されたか否かを判断する（ステップＳ１０８）。このステップＳ１０８では、ソート条件取得部５８により「未再生時間１３２の短い順（又は長い順）」とのソート条件、あるいは「第一差分値の小さい順」とのソート条件が取得された場合、リストソート部５９は、「Ｙｅｓ」と判断する。
【００８１】
そして、ステップＳ１０８において「Ｙｅｓ」と判断された場合、リストソート部５９は、更に、ソート条件が、「第一差分値の小さい順」であるか否かを判断する（ステップＳ１０９）。
このステップＳ１０９で、「Ｎｏ」と判断された場合、つまり、ソート条件取得部５８により「未再生時間１３２の短い順（又は長い順）」とのソート条件が取得された場合は、リストソート部５９は、録画リスト表示処理において表示させる録画コンテンツ１００の並び順を、未再生時間１３２の短い順（又は長い順）に設定する。この時、ステップＳ１０２〜ステップＳ１０７により、表示対象の録画コンテンツ１００が抽出されている場合、抽出された録画コンテンツ１００のみの並び順を設定すればよい。
【００８２】
一方、ステップＳ１０９で、「Ｙｅｓ」と判断された場合、つまり、ソート条件取得部５８により「第一差分値の小さい順」とのソート条件が取得された場合は、リストソート部５９は、録画リスト表示処理において表示させる録画コンテンツ１００の並び順を、第一差分値の小さい順（又は大きい順）に設定する。
【００８３】
また、ステップＳ１０８において、「Ｎｏ」と判断された場合、ステップＳ１０１において、ソート条件取得部５８により最終再生日時１３５に基づいたソート条件が取得されたか否かを判断する（ステップＳ１１２）。このステップＳ１１２では、ソート条件取得部５８により「再生最終日時の近い順（又は遠い順）」とのソート条件、あるいは「第二差分値の小さい順」とのソート条件が取得された場合、リストソート部５９は、「Ｙｅｓ」と判断する。
【００８４】
そして、ステップＳ１１２において「Ｙｅｓ」と判断された場合、リストソート部５９は、更に、ソート条件が、「第二差分値の小さい順」であるか否かを判断する（ステップＳ１１３）。
このステップＳ１１３で、「Ｎｏ」と判断された場合、つまり、ソート条件取得部５８により「最終再生日時１３５の近い順（又は遠い順）」とのソート条件が取得された場合は、リストソート部５９は、録画リスト表示処理において表示させる録画コンテンツ１００の並び順を、最終再生日時１３５の近い順（又は遠い順）に設定する。この時、ステップＳ１１０と同様、ステップＳ１０２〜ステップＳ１０７により、表示対象の録画コンテンツ１００が抽出されている場合、抽出された録画コンテンツ１００のみの並び順を設定すればよい。
【００８５】
一方、ステップＳ１１３で、「Ｙｅｓ」と判断された場合、つまり、ソート条件取得部５８により「第二差分値の小さい順」とのソート条件が取得された場合は、リストソート部５９は、録画リスト表示処理において表示させる録画コンテンツ１００の並び順を、第二差分値の小さい順（又は大きい順）に設定する。
【００８６】
また、ステップＳ１０８及びステップＳ１１２の双方において、「Ｎｏ」と判断された場合は、ソート処理が実施されず、例えば、コンテンツ記憶領域４１に記憶された録画コンテンツ１００の記憶順に従って録画リスト表示処理が実施される。なお、この場合、基準となるソート条件を設定しておき、その基準となるソート条件によりソートを実施する処理をしてもよい。
【００８７】
［第二実施形態の作用効果］
本実施形態の記録再生装置１Ａでは、ステップＳ１０８において「Ｙｅｓ」と判断され、かつステップＳ１０９において「Ｎｏ」と判断された場合に、リストソート部５９は、未再生時間１３２の長さに基づいたソート処理を実施し、表示制御部５５は、当該ソート処理により設定された並び順で複数の録画コンテンツ１００を一覧表示させる。
このように未再生時間１３２の短い順（又は長い順）で、録画コンテンツ１００がリスト表示されることで、利用者は、所望の未再生時間１３２を有する録画コンテンツ１００を容易に見つけ出すことが可能となり、視聴対象のコンテンツを適切に選択することができる。
【００８８】
本実施形態の記録再生装置１Ａでは、ステップＳ１０１において、抽出条件取得部５６は、再生希望時間を取得し、リスト抽出部５７は、再生希望時間及び各録画コンテンツ１００の未再生時間１３２から各録画コンテンツ１００における第一差分値を算出する。そして、リスト抽出部５７は、コンテンツ記憶領域４１に記憶された録画コンテンツ１００から、第一差分値が所定に第一時間閾値以下となる録画コンテンツ１００を抽出する。
このため、録画リスト表示処理において、利用者が希望する未再生時間１３２に対応した録画コンテンツ１００のみをリスト表示することができる。これにより、利用者は、より容易に、最適な録画コンテンツ１００を選択することが可能となる。
【００８９】
また、本実施形態の記録再生装置１Ａでは、ステップＳ１０９において、「Ｙｅｓ」と判断された場合、リストソート部５９は、第一差分値の小さい順にソート処理を実施し、表示制御部５５は、当該ソート処理により設定された並び順で複数の録画コンテンツ１００を一覧表示させる。
このような構成では、利用者が所望する再生希望時間に近い未再生時間１３２を有する録画コンテンツ１００を、再生希望時間の近い順に表示させることができ、利用者による視聴対象の録画コンテンツ１００の選択を更に好適に支援することができる。
【００９０】
本実施形態の記録再生装置１Ａでは、ステップＳ１１２において「Ｙｅｓ」と判断され、かつステップＳ１１３において「Ｎｏ」と判断された場合に、リストソート部５９は、最終再生日時１３５に基づいたソート処理を実施し、表示制御部５５は、当該ソート処理により設定された並び順で複数の録画コンテンツ１００を一覧表示させる。
このような構成では、最終再生日時１３５が近い順にソート処理が実施された場合、利用者は、最近視聴した録画コンテンツ１００を容易に確認することができる。また、これらの録画コンテンツ１００における未再生時間１３２を容易に把握することができるので、最近視聴した録画コンテンツ１００から視聴対象となる録画コンテンツ１００を容易に選択することができる。
また、最終再生日時１３５が遠い順にソート処理が実施された場合、利用者は、視聴した日時が古い録画コンテンツ１００を容易に確認することができる。この場合、例えば、録画コンテンツ１００のうち、視聴し忘れていた録画コンテンツ１００を容易に見つけることができる。また、コンテンツ記憶領域４１の記憶領域が少なくなった場合などにおいて、消去対象の録画コンテンツ１００を容易に確認することができる。
【００９１】
本実施形態の記録再生装置１Ａでは、ステップＳ１０１において、抽出条件取得部５６は、希望経過時間を取得し、リスト抽出部５７は、希望経過時間及び各録画コンテンツ１００の最終再生日時１３５から各録画コンテンツ１００における第二差分値を算出する。そして、リスト抽出部５７は、コンテンツ記憶領域４１に記憶された録画コンテンツ１００から、第二差分値が所定に第二時間閾値以下となる録画コンテンツ１００を抽出する。
このため、録画リスト表示処理において、利用者が希望する最終再生日時１３５に近い録画コンテンツ１００のみをリスト表示することができる。これにより、利用者は、より容易に、最適な録画コンテンツ１００を選択することが可能となる。
【００９２】
また、本実施形態の記録再生装置１Ａでは、ステップＳ１１３において、「Ｙｅｓ」と判断された場合、リストソート部５９は、第二差分値の小さい順にソート処理を実施し、表示制御部５５は、当該ソート処理により設定された並び順で複数の録画コンテンツ１００を一覧表示させる。
このような構成では、最終再生日時１３５からの経過時間が、利用者が所望する希望経過時間に近い録画コンテンツ１００を順に表示させることができ、利用者による視聴対象の録画コンテンツ１００の選択を更に好適に支援することができる。
【００９３】
［変形例］
なお、本発明は、上述した実施形態に限定されるものではなく、本発明の目的を達成できる範囲で、以下に示される変形をも含むものである。
例えば、第一実施形態において、表示画面の例として各画面２０１Ａ，２０１Ｂ，２０２Ａ，２０２Ｂ，２０３Ａ，２０３Ｂ，２０３Ｃ，２０４を例示したが、これに限定されない。録画リスト表示処理における画面例としては、上記の画面例のうちのいくつかのみが選択可能な構成であってもよく、更に多くの表示画面例を設定可能な構成などとしてもよい。
他の表示画面例としては、例えば、再生済時間１３１、未再生時間１３２の双方を表示させた録画コンテンツ１００のリストが表示される画面例等が挙げられる。また、第二実施形態のように、録画コンテンツ１００の録画再生状況データ１３０に最終再生日時１３５が含まれる場合、この最終再生日時１３５を表示させてもよい。
【００９４】
また、第二実施形態において、ステップＳ１０９において、ステップＳ１０４において、第一差分値が第一時間閾値以下となる録画コンテンツ１００が抽出された場合にのみ、ステップＳ１１１において、第一差分値が小さい順に録画コンテンツ１００をソートさせる処理をしたが、これに限定されない。例えば、第一差分値と第一時間閾値との比較による録画コンテンツ１００のリスト抽出処理を実施せず、第一差分値に基づいたソート処理を実施してもよい。
同様に、第二差分値と第二時間閾値との比較による録画コンテンツ１００のリスト抽出処理を実施せず、第二差分値に基づいたソート処理を実施してもよい。
【００９５】
また、リスト抽出処理における抽出条件としては、上述したように、第一時間閾値、第二時間閾値、録画日時１２１、録画番組名１２２、録画モード１２３、録画トータル時間１２５、録画曜日、一度も再生していない録画コンテンツ１００、録画コンテンツ１００のジャンル等を取得し、これらの抽出条件に基づいてコンテンツ記憶領域４１から、対応する録画コンテンツ１００を抽出してもよい。
同様に、ソート処理におけるソート条件として、上述したように、録画日時１２１、録画番組名１２２、録画モード１２３、録画トータル時間１２５、録画曜日、録画コンテンツ１００のジャンル等を取得し、これらのソート条件に基づいてコンテンツ記憶領域４１に記憶された録画コンテンツ１００の並び順を設定してもよい。
【００９６】
また、第二実施形態では、表示制御部５５による録画リスト表示処理の前に、リスト抽出処理及びソート処理を実施する例を示したが、表示制御部５５による録画リスト表示処理中に、利用者による入力部３の入力操作に基づいて、リスト抽出処理やソート処理が実施される構成としてもよい。
【００９７】
第一実施形態において、録画リスト表示処理において表示される各画面のリスト表示部２１２Ａ，２１２Ｂ，２１４Ａ，２１４Ｂ，２１５，２１７において、利用者による入力部３の入力操作により録画コンテンツ１００が選択された場合に、再生部５２は、当該選択された録画コンテンツ１００を再生する例を示したが、これに限らない。例えば、これらのリスト表示部において、再生ボタンを表示させ、再生ボタンが選択されることで再生部５２による録画コンテンツ１００の再生が実施される構成としてもよい。更に、リスト表示部において、消去ボタンが表示され、消去ボタンが選択されることで、制御装置５が当該録画コンテンツ１００を消去する構成などとしてもよい。
【００９８】
また、ソート処理において、ソート条件取得部５８はソート条件として、複数の条件を指定してもよい。この場合、ソート優先度が高い順に、ソート条件を取得（例えば第一ソート条件、第二ソート条件、第三ソート条件等）を取得し、優先度が高い順に録画コンテンツ１００の並び順を設定する構成などとしてもよい。このような構成では、例えば、未再生時間が再生希望時間に近い順で、かつ、未再生時間が同じである録画コンテンツに対しては、希望経過時間に近い順で表示させるなどといった、様々な目的に応じたリスト表示が可能となる。
【００９９】
また、上記第一及び第二実施形態では、記録再生装置１，１Ａのプログラム記憶領域４２に、制御装置５を、録画部５１，再生部５２，時間検出部５３，表示モード設定部５４，表示制御部５５，抽出条件取得部５６，リスト抽出部５７，ソート条件取得部５８，リストソート部５９として機能させるためのプログラムが記憶された例を示すが、これらのプログラムは、例えばＣＤやＤＶＤ等の記録媒体に記憶されたものであってもよい。制御装置５（コンピュータ）は、このような記録媒体から直接プログラムを読み込むことで、図３や図１７に示す録画リスト表示処理やリスト抽出処理、ソート処理を実施してもよい。
【０１００】
その他、本発明の実施の際の具体的な構造および手順は、本発明の目的を達成できる範囲で他の構造などに適宜変更できる。
【符号の説明】
【０１０１】
１，１Ａ…記録再生装置（再生状況表示装置）、２…受信部、３…入力部、５、制御装置、４…記憶部、１０…表示装置、１１…表示部、４１…コンテンツ記憶領域、４２…プログラム記憶領域、５１…録画部、５２…再生部、５３…時間検出部、５４…表示モード設定部、５５…表示制御部、５６…抽出条件取得部（再生希望時間取得部、希望経過時間取得部）、５７…リスト抽出部、５８…ソート条件取得部、５９…リストソート部、１００…録画コンテンツ（コンテンツ）、１１０…映像・音声データ、１２０…録画タイトルデータ、１２２…録画番組名（コンテンツ特定情報）、１２４…サムネイル画像、１２５…録画トータル時間（全再生時間）、１３１…再生済時間、１３２…未再生時間、１３３…再生済割合、１３４…未再生割合、１３０…録画再生状況データ、２０１Ａ…再生済時間表示画面、２０１Ｂ…未再生時間表示画面、２０２Ａ…再生済割合表示画面、２０２Ｂ…未再生割合表示画面、２０３Ａ…グラフ表示画面、２０３Ｂ…再生済時間・グラフ表示画面、２０３Ｃ…未再生時間・グラフ表示画面、２０４…サムネイル表示画面、２１２Ａ，２１２Ｂ，２１４Ａ，２１４Ｂ，２１５，２１７…リスト表示部、２１６…グラフ。
【図１】
2013080539.tif 000003
【図２】
2013080539.tif 000004
【図３】
2013080539.tif 000005
【図４】
2013080539.tif 000006
【図５】
2013080539.tif 000007
【図６】
2013080539.tif 000008
【図７】
2013080539.tif 000009
【図８】
2013080539.tif 000010
【図９】
2013080539.tif 000011
【図１０】
2013080539.tif 000012
【図１１】
2013080539.tif 000013
【図１２】
2013080539.tif 000014
【図１３】
2013080539.tif 000015
【図１４】
2013080539.tif 000016
【図１６】
2013080539.tif 000017
【図１７】
2013080539.tif 000018
【図１８】
2013080539.tif 000019
【図１５】
2013080539.tif 000020